(57)【特許請求の範囲】
【請求項１】
上部に螺合等によって固定されている注ぎ口部が設けられていると共に下端部が解放された外枠体に対して、下方側から着脱自在である内枠体が用意されており、外枠体から取り外した内枠体内に詰め替え用包装体を収納して外枠体の下端側から嵌挿させ、詰め替え用包装体と前記注ぎ口部を連通させる構成であり、前記内枠体の片側又は両側に外枠体に対する固定手段が設けられており、
該固定手段が、外枠体の両側に形成した透孔に、内枠体の両側に形成した可動舌片に設けられた凸部を係合させる構成であると共に、前記外枠体と内枠体との嵌挿時の各部の位置構成が下記の構成を有し、
前記可動舌片が、その下端部のみが前記内枠体の側壁部分であって且つ底部構造である受台部の直上近傍部と一体的に連接されていると共に、該下端部以外は縁部外周に間隙を有して前記内枠体の側壁部分と同一面で形成され、前記下端部より離れた位置である上端部に前記凸部が設けられていること、
を特徴とする詰め替え用包装体ホルダー。
［嵌挿時の各部の位置構成］
固定手段の前記可動舌片に設けられた凸部の頂部角部が、外枠体の下端の嵌挿開口部の内側縁より内側に位置しており、
外枠体への内枠体の嵌挿時に、前記嵌挿開口部の内側縁と前記凸部の頂部斜面とが摺接しながら前記凸部が内側に移動し、
該凸部の頂部下角部が前記透孔の下端を通り過ぎた時点で前記可動舌片の弾性によって該凸部が復元し、前記透孔に係止し、このとき外枠体の開口部は内枠体の受台部に嵌挿される構成。
【請求項２】
前記注ぎ口部が外枠体の上部に螺合等によって固定されたポンプであり、外枠体から取り外した内枠体内に詰め替え用包装体を収納して外枠体の下端側から嵌挿させる際に、該詰め替え用包装体の上方から固定されたポンプの吸液管が刺し通される構成であることを特徴とする請求項１に記載の詰め替え用包装体ホルダー。
【請求項３】
詰め替え用包装体の容積が、内枠体の内側内の容積に対応する構成であることを特徴とする請求項１又は２に記載の詰め替え用包装体ホルダー。
【請求項４】
外枠体と内枠体の少なくとも一部を透明材で形成するか、或いは開口部を形成することにより詰め替え用包装体内の溶液の残量及び／又はポンプの吸液管の先端部が確認できるように構成されていることを特徴とする請求項２又は３に記載の詰め替え用包装体ホルダー。
【請求項５】
詰め替え用包装体が予め内枠体に収納されている構成であることを特徴とする請求項１〜４のいずれかに記載の詰め替え用包装体ホルダー。
【請求項６】
詰め替え用包装体が内枠体に収納されていない構成であることを特徴とする請求項１〜４のいずれかに記載の詰め替え用包装体ホルダー。
【発明の詳細な説明】
【０００１】
【発明の属する技術分野】
本発明は、使い切ると容器ごと捨ててしまう液体容器でなく、補充用の新液を詰め替え用包装体に収容して提供する態様に利用される詰め替え用包装体ホルダーに関する。
【０００２】
【従来の技術】
詰め替え用包装体を収納するホルダー（注ぎ口部がポンプ式）に関しては、特開平４−３２１０７１号、同４−３２１０７２号、同５−３７６６０号、同６−１７１６９８号、同９−９５３７６号公報などに記載がある。
また、詰め替え用包装体に関しては、特開平７−２２８４号、同７−１７２４６６号、同７−２２３６５１号公報などに記載がある。
【０００３】
【発明が解決しようとする課題】
詰め替え用包装体を収納するポンプ式のホルダーでは、液を使い切ると、古い包装体を取り出して、新液が収納されている詰め替え用包装体を装填するが、その際に、ポンプの吸液管の先端を包装体の上端部に突き刺して、ポンプが作動できるように正確にセットすることが要求される。この作業は煩雑なだけでなく、しばしばセットが不正確で、ポンプがうまく作動しない事態が生じている。
【０００４】
詰め替えに際して、ポンプのセットをやり直すために安易に容器の蓋を開けてしまうと、ポンプの吸液管も外してしまうことがある。例えば、特開平６−２５５６８４号、同７−２２３６５１号公報などに記載されている如く、詰め替え用包装体の端部封止材を、突き通されたポンプの吸液管の周囲に密着する積層構造とすることで液漏れを防止する構成の詰め替え用包装体を利用する場合、ポンプのセットをやり直すと、包装体の端部封止材に古い穴が残ってしまうことになり、このため包装体中に空気が入り、ポンプ作動によっても液が出ないばかりでなく、容器を逆さまにすると液が漏れ出してしまう事態が発生する。
【０００５】
更に、従来のポンプ付きホルダーは不透明な合成樹脂製であるために、蓋を外さないと内部を見ることができない。このため、ポンプを作動させても液が出てこない原因が、液を使い切ったためなのか、ポンプの作動不良のためなのか判断することができない。そこで蓋を不用意に開けたりしてしまうと、ポンプの吸液管が外れ、前記した事態の発生となる。
【０００６】
そこで本発明者は、上記に鑑み、詰め替え用包装体の装填が容易であり、液の残量の確認を容易に行うことができる、改良されたポンプ式のホルダーを先に提案した（特願平１０−２８０５２３号、同１１−４２７２４号）。本発明は、当該技術の更なる改良に関し、詰め替え用包装体が確実に内装されると共に装填作業が容易且つ確実にできるホルダーを提供することを目的とする。
【０００７】
【課題を解決するための手段】
本発明の上記課題は下記構成によって解決される。
１．上部に螺合等によって固定されている注ぎ口部が設けられていると共に下端部が解放された外枠体に対して、下方側から着脱自在である内枠体が用意されており、外枠体から取り外した内枠体内に詰め替え用包装体を収納して外枠体の下端側から嵌挿させ、詰め替え用包装体と前記注ぎ口部を連通させる構成であり、前記内枠体の片側又は両側に外枠体に対する固定手段が設けられており、
該固定手段が、外枠体の両側に形成した透孔に、内枠体の両側に形成した可動舌片に設けられた凸部を係合させる構成であると共に、前記外枠体と内枠体との嵌挿時の各部の位置構成が下記の構成を有し、
前記可動舌片が、その下端部のみが前記内枠体の側壁部分であって且つ底部構造である受台部の直上近傍部と一体的に連接されていると共に、該下端部以外は縁部外周に間隙を有して前記内枠体の側壁部分と同一面で形成され、前記下端部より離れた位置である上端部に前記凸部が設けられていること、
を特徴とする詰め替え用包装体ホルダー。
［嵌挿時の各部の位置構成］
固定手段の前記可動舌片に設けられた凸部の頂部角部が、外枠体の下端の嵌挿開口部の内側縁より内側に位置しており、
外枠体への内枠体の嵌挿時に、前記嵌挿開口部の内側縁と前記凸部の頂部斜面とが摺接しながら前記凸部が内側に移動し、
該凸部の頂部下角部が前記透孔の下端を通り過ぎた時点で前記可動舌片の弾性によって該凸部が復元し、前記透孔に係止し、このとき外枠体の開口部は内枠体の受台部に嵌挿される構成。
【０００９】
２．前記注ぎ口部が外枠体の上部に螺合等によって固定されたポンプであり、外枠体から取り外した内枠体内に詰め替え用包装体を収納して外枠体の下端側から嵌挿させる際に、該詰め替え用包装体の上方から固定されたポンプの吸液管が刺し通される構成であることを特徴とする上記１に記載の詰め替え用包装体ホルダー。
【００１０】
３．詰め替え用包装体の容積が、内枠体の内側内の容積に対応する構成であることを特徴とする上記１又は２に記載の詰め替え用包装体ホルダー。
【００１１】
４．外枠体と内枠体の少なくとも一部を透明材で形成するか、或いは開口部を形成することにより詰め替え用包装体内の溶液の残量及び／又はポンプの吸液管の先端部が確認できるように構成されていることを特徴とする上記２又は３に記載の詰め替え用包装体ホルダー。
【００１２】
５．詰め替え用包装体が予め内枠体に収納されている構成であることを特徴とする上記１〜４のいずれかに記載の詰め替え用包装体ホルダー。
【００１３】
６．詰め替え用包装体が内枠体に収納されていない構成であることを特徴とする上記１〜４のいずれかに記載の詰め替え用包装体ホルダー。
【００１６】
【発明の実施の形態】
以下、本発明の詳細について説明する。
図１は本発明に係る詰め替え用包装体ホルダー（以下、単にホルダーということもある）の一実施例を示す分解図、図２は本発明に係るホルダーの正面図、図３は同じく左側面図、図４は同じく右側面図、図５は同じく平面図、図６は同じく底面図、図７は図２の部分切欠図、図８は図３の部分切欠図、図９は固定手段を説明する要部拡大図、図１０は同じく固定手段の作用説明図である。
【００１７】
図１〜図８に示すように本発明のホルダーは、合成樹脂製であり、上部に螺合等によって固定されている注ぎ口部１１が設けられていると共に下端部が解放された外枠体１に対して、下方側から着脱自在である内枠体２が用意されており、外枠体１から取り外した内枠体２内に詰め替え用包装体３を上方開口部２０から収納して外枠体１の下端側の嵌挿開口部１０から嵌挿させ、詰め替え用包装体３と前記固定された注ぎ口部１１を連通させる構成である。
【００１８】
外枠体１と内枠体２は断面形状が相似で、嵌挿させた際にほぼきっちりと嵌まり合う形とすることが好ましい。例えば、図１に示す如く、ホルダーの中心線Ｙから外枠体１の内壁面までの距離をＬ1とし、ホルダーの中心線Ｙから内枠体２の外壁面までの距離をＬ5としたとき、Ｌ1はＬ5と略等しいことが好ましい。両者の結合状態を維持させるために、内枠体２の両側には、外枠体１に対する固定手段２１が設けられている。
【００１９】
固定手段２１は、外枠体１に形成した透孔１２に内枠体２の両側面に形成した可動舌片２２に設けられた凸部２３（合成樹脂製可動舌片２２の弾性により、押圧力を加えることで移動し、押圧力を解除することで復元する。）を係合させる構成を有している。内枠体２を外枠体１から外す際、凸部２３を図８の矢符Ｘに示すように指等で押すことで、外枠体１の透孔１２との結合が解除される。固定手段２１としてはこれに限定されず、他の構成とすることもできる。
【００２０】
図示する実施例の注ぎ口部１１は、外枠体１の上部に螺合等によって固定されたポンプであり、外枠体１から取り外した内枠体２内に詰め替え用包装体３を収納して外枠体１の下端側から嵌挿させる際に、該詰め替え用包装体３の上方から固定されたポンプの吸液管１４（ホルダーの中心線に位置することが好ましい。）が刺し通される構成を有している。本発明はこれに限定されず、詰め替え用包装体３内の溶液の種類に応じて、種々の構成とすることもできる。例えばポンプの代わりに、噴霧スプレーやポンプ式ではない単なる注ぎ口であってもよい。尚、単なる注ぎ口の場合、吸液管１４は液の連通管（導出管）としての作用をする。
【００２２】
外枠体１と内枠体２の夫々には、詰め替え用包装体３内の溶液の残量及び／又は吸液管１４の先端部が確認できるように開口部１３及び開口部２４が形成されている。さらに内枠体２の底部にも溶液の残量を確認するための開口部２５が形成されていることが好ましい。開口部１３並びに開口部１４及び開口部２５の代わりに、外枠体１及び内枠体２の少なくとも一部を透明材で形成することもできる。
【００２３】
詰め替え用包装体３は、市販のものと基本的構造は同じであるが、その容積は、内枠体２の容積に対応させる。詰め替え用包装体３の容積が内枠体２の容積より著しく小さいと、注ぎ口部１１（ポンプ）の吸液管１４を刺し通す際に変形してしまう事態が生じる。本発明のように、両者の容積を対応させておけば、詰め替え用包装体３の変形は内枠体２の内側壁で規制を受けるので、このような事態の発生を防ぐことができる。
【００２４】
尚、好ましい態様として、詰め替え用包装体３の容積を内枠体２の容積に対応させるだけでなく、両者の形状を対応させる構成が挙げられる。例えば、詰め替え用包装体３の横断面形状が楕円形であれば内枠体２の横断面形状は楕円形とし、同様に、真円形は真円形に、四角形は四角形に対応させる構成である。
【００２５】
尚また、詰め替え用包装体３に収納する内容物は、必ずしも液体に限られることはなく、ゲル状或いはゼリー状等の流動体であればよい。例えば、シャンプー、リンス、液体ハミガキ、消毒用アルコール、ソース、醤油、サラダオイル等のいずれであってもよい。
【００２６】
以上の構成を有する本発明のホルダーにおいて、例えば、工場出荷時や販売時に詰め替え用包装体３は予め内枠体２に収納されていてもよいし、収納されていなくてもよい。
【００２７】
本発明において詰め替え装着を行うには、凸部２３を手指等によってＸ方向へ押圧して移動された状態で、内枠体２から外枠体１を引き上げて両者を離間する。その後、使い終わった包装体３を吸液管１４から取り外す。新たな包装体３を内枠体２の上方開口部２０から挿入し収納する。
【００２８】
固定されたポンプを有する外枠体１を内枠体３の上方側から押し込むと、図１０の（Ａ）に示す如く、凸部２３は、その頂部角部２３Ａが外枠体１の嵌挿開口部１０の内側縁１０Ａよりも内側であるため（図９に示すように、中心線Ｙから頂部角部２３Ａまでの距離をＬ6とするとき、Ｌ1＞Ｌ6の関係を有する）、図１０（Ｂ）に示す如く更に押し込むと、内側縁１０Ａと凸部２３の頂部斜面２３Ｂとが摺接しながら凸部２３は内側に移動する。更に図１０（Ｃ）に示す如く押し込み続けると、凸部２３の頂部下角部２３Ｃが透孔１２の下端を通り過ぎた時点で可動舌片２２の弾性によって凸部２３が復元し、透孔１２に係止する。このとき外枠体１の開口部は内枠体２の受台部に嵌挿されることとなる。嵌挿が完了し、外枠体１と内枠体２とが完全に結合されたことが容易に確認できるように、凸部２３が透孔１２に係止したとき、「パチッ」ないし「カチッ」と音が生じるように構成することが好ましい。
【００２９】
以上のように、Ｌ1＞Ｌ6の関係とすることで、外枠体１への内枠体２の嵌挿時、凸部２３を手指等等で押圧することなく嵌挿が可能となるが、外枠体１に内枠体２を嵌挿する際に、凸部２３を手指等で押圧すれば、Ｌ1＜Ｌ6の関係を有していてもよい。さらに、Ｌ1＜Ｌ6の関係の場合、凸部２３を押圧するのではなく、外枠体１を押圧して撓ませることで、一時的にＬ1＞Ｌ6の関係となるようにしてもよい。
【００３０】
上記のように、本発明に係るホルダーはその中心線Ｙから外枠体１の開口部の内壁面までの距離（内径）をＬ1、及び外壁面までの距離（外径）をＬ4とし、中心線Ｙから凸部２３の頂部までの距離（外径）をＬ2とし、中心線Ｙから凸部２３の下端までの距離（外径）をＬ3とするとき、
Ｌ1＜Ｌ2
Ｌ3＞Ｌ3
Ｌ4≦Ｌ2
の関係を有している。
【００３１】
【発明の効果】
本発明によれば、詰め替え作業を簡単に行なうことができ、詰め替えに際して詰め替え用包装体に対してポンプの吸液管を誤って突き刺すなどの誤操作を起こすことがなく、また、収納されている液の残量を容易に確認することができるので頭記した課題が解決される。
本発明によれば、詰め替え用包装体の装填が容易であり、液の残量の確認を容易に行うことができるだけでなく、詰め替え用包装体が確実に内装されると共に装填作業が容易且つ確実にできるホルダーを提供することができる。
【図面の簡単な説明】
【図１】本発明に係る詰め替え用包装体ホルダーの一実施例を示す分解図
【図２】本発明に係るホルダーの正面図
【図３】同じく左側面図
【図４】同じく右側面図
【図５】同じく平面図
【図６】同じく底面図
【図７】図２の部分切欠図
【図８】図３の部分切欠図
【図９】固定手段を説明する要部拡大図
【図１０】同じく固定手段の作用説明図
【符号の説明】
１  外枠体
１０  嵌挿開口部
１１  注ぎ口部
１２  透孔
１３  開口部
１４  吸液管
２  内枠体
２０  上方開口部
２１  固定手段
２２  可動舌片
２３  凸部
２４  開口部
２５  開口部
３  詰め替え用包装体
【図１】
0004423376.tif 000002
【図２】
0004423376.tif 000003
【図３】
0004423376.tif 000004
【図４】
0004423376.tif 000005
【図５】
0004423376.tif 000006
【図６】
0004423376.tif 000007
【図７】
0004423376.tif 000008
【図８】
0004423376.tif 000009
【図９】
0004423376.tif 000010
【図１０】
0004423376.tif 000011